(57)【要約】【課題】リチウムイオン二次電池等に用いられる電池容器内に電解液等の液体を注入し、封口体で開口部を蓋した際に、封口体容器本体との隙間から内部の液漏れが発生することを防止できる電池容器を提供すること。【解決手段】電解液Ｌが含浸された電極やセパレータ４０を収納する有底筒状の容器本体２０と、容器本体２０の開口部２３側に着脱自在に嵌め込まれる封口体３０とを備え、容器本体２０の側壁部２１には、封口体３０の進入量を規制するために内面側に突出して形成された係止部２１ａと、係止部２１ａの開口部２３側に形成された凹部２１ｂが形成されている。【選択図】    図２
2005019325.tif 000002
【特許請求の範囲】
【請求項１】
電解液が注入される電極を収納する有底筒状の容器本体と、
この容器本体の開口部側に着脱自在に嵌め込まれる封口体とを備え、
上記容器本体の側壁には、上記封口体の進入量を規制するために内面側に突出して形成された係止部と、この係止部の上記開口部側に形成された凹部が形成されていることを特徴とする電池容器。
【請求項２】
上記凹部は、上記容器本体の周方向に亘って形成されていることを特徴とする請求項１に記載の電池容器。
【請求項３】
上記凹部は、上記容器本体に二重以上形成されていることを特徴とする請求項２に記載の電池容器。
【発明の詳細な説明】
【０００１】
【発明の属する技術分野】
本発明は、リチウムイオン二次電池等に用いられる電池容器に関し、特に電解液の漏れを防止できるものに関する。
【０００２】
【従来の技術】
リチウムイオン二次電池等の電池１００は、例えば図３及び図４の（ａ）〜（ｃ）に示すように、有底筒状の電池容器１１０と、この電池容器１１０内に収容された電極やセパレータ１２０を備えている。電極やセパレータ１２０には電解液Ｌが含浸されている。また、電極１２０は端子１２１に接続されている。
【０００３】
また、電池容器１１０は封口体１３０により開口部１１１が封止されている。電池容器１１０の側壁１１２には封口体１３０の進入を規制するために容器内面側に突出した係止部１１３が形成されている。
【０００４】
電池容器１１０に電解液Ｌを注入する方法としては、電池容器１１０内を減圧し、電解液Ｌと電池容器１１０内の圧力差により電解液Ｌを電池容器１１０内に注入する方法が知られている（特許文献１参照）。
【０００５】
【特許文献１】
特開昭６１−１７１０６１号公報
【０００６】
【発明が解決しようとする課題】
上述した電池容器であると次のような問題があった。すなわち、電池容器１１０内に電解液Ｌを注入する際には、図４の（ａ）に示すように、ノズル１４０を開口部１１１に押し当て、電解液流路１４１から所定量の電解液Ｌを流し込む。このとき、電極やセパレータ１２０に含浸するまでに一定の時間がかかるため、当初電解液Ｌの液面は係止部１１３の上まで達する。その後、図４の（ｂ）に示すように、電解液Ｌが電極やセパレータ１２０に含浸するため、液面は下がるが、電解液Ｌの一部が係止部１１３の縁に残存する。このため、封口体１３０を開口部１１１に挿入した際、係止部１１３に残存した電解液Ｌが毛細管現象により、封口体１３０と電池容器１１０内壁面との隙間から外部に漏れ出し、周囲を汚す虞があった。
【０００７】
そこで本発明は、リチウムイオン二次電池等に用いられる電池容器内に電解液等の液体を注入し、封口体で開口部を蓋した際に、封口体と電池容器との隙間から内部の液漏れが発生することを防止できる電池容器を提供することを目的としている。
【０００８】
【課題を解決するための手段】
上記課題を解決し目的を達成するために、本発明の電池容器は次のように構成されている。
【０００９】
（１）電解液が注入される電極を収納する有底筒状の容器本体と、この容器本体の開口部側に着脱自在に嵌め込まれる封口体とを備え、上記容器本体の側壁には、上記封口体の進入量を規制するために内面側に突出して形成された係止部と、この係止部の上記開口部側に形成された凹部が形成されていることを特徴とする。
【００１０】
（２）上記（１）に記載された電池容器であって、上記凹部は、上記容器本体の周方向に亘って形成されていることを特徴とする。
【００１１】
（３）上記（２）に記載された電池容器であって、上記凹部は、上記容器本体に二重以上形成されていることを特徴とする。
【００１２】
【発明の実施の形態】
図１は本発明の一実施の形態に係る電池容器１０をリチウムイオン電池に適用した例を示す側面図、図２は電池容器１０に電解液を注入する工程を示す断面図である。
【００１３】
電池容器１０は、有底筒状に形成され内部に後述する電極４０を収容する容器本体２０と、この容器本体２０の開口部２３を封止する封口体３０とを備えている。
【００１４】
容器本体２０は、円筒状の側壁部２１と底部２２から形成されている。なお、図中２３は開口部を示している。側壁部２１には、内面に突出した係止部２１ａが形成されている。係止部２１ａは、封口体３０が容器本体２０の内部に必要以上に進入しないようにするために設けられている。
【００１５】
この係止部２１ａの開口部２３寄りには、凹部２１ｂが周方向に亘って形成されている。この凹部２１ｂは封口体３０が挿入された場合に、封口体３０の外周面３１に対向することとなる。
【００１６】
封口体３０は円柱状に形成され、その中央部に後述する端子４１を通すための貫通孔（不図示）が形成されている。
【００１７】
図中４０は電極やセパレータを示しており、電解液Ｌが含浸されている。電極４０には端子４１が設けられており、封口体３０の貫通孔を介して電池容器１０外部に露出している。
【００１８】
このように構成された電池容器１０では、次のようにして、電解液Ｌの注入及び封止が行われる。すなわち、図２の（ａ）に示すように、注入ノズル５０を容器本体２０の開口部２３に当接させ、容器本体２０内を減圧した状態で、供給ライン５１より電解液Ｌを注入し、所定の量まで注入した時点で注入を停止する。このとき、電極やセパレータ４０に電解液Ｌが含浸されるまで一定の時間がかかるため電解液Ｌの液面は係止部２１ａよりも上にある。そして、液面が係止部２１ａより下となったところで容器本体２０内を大気に戻し、封口体３０を開口部２３に嵌入する。
【００１９】
このとき、係止部２１ａに残存する電解液Ｌが毛細管現象により封口体３０と側壁部２１内面との隙間を伝わって上昇する。しかしながら、電解液Ｌは凹部２１ｂに溜まり、それ以上は上昇しない。
【００２０】
したがって、電解液Ｌが開口部２３から外部に漏れ出すことがなく、周囲が電解液Ｌにより汚染されることを防止できる。
【００２１】
上述したように、本実施の形態に係る電池容器１０によれば、電解液Ｌを注入し、封口体３０で開口部２３を蓋した際に、封口体３０と容器本体２０との隙間から内部の液漏れが発生することを防止できる。
【００２２】
なお、本発明は前記実施の形態に限定されるものではない。すなわち、上述した実施の形態では、円筒形の電池容器としてが、角筒形等の他の種類の電池容器にも適用可能である。また、凹部２１ｂの形状を、図２における断面図において略半円状としたが、「く」字状とする等、他の形状であっても良い。
【００２３】
また実施の形態では、挿入された封口体３０の外周面３１と対向するように凹部２１ｂを一重に形成したものであったが、二重以上形成するようにしてもよい。この他、本発明の要旨を逸脱しない範囲で種々変形実施可能であるのは勿論である。
【００２４】
【発明の効果】
本発明によれば、リチウムイオン二次電池等に用いられる電池容器内に電解液等の液体を注入し、封口体で開口部を蓋した際に、封口体と電池容器との隙間から内部の液漏れが発生することを防止することが可能となる。
【図面の簡単な説明】
【図１】本発明の一実施の形態に係る電池容器を用いたリチウムイオン電池を示す側面図。
【図２】同リチウムイオン電池の電池容器に電解液を注入する工程を示す断面図。
【図３】従来のリチウムイオン電池の一例を示す側面図。
【図４】同リチウムイオン電池の電池容器に電解液を注入する工程を示す断面図。
【符号の説明】
１０…電池容器、２０…容器本体、２１…側壁部、２１ａ…係止部、２１ｂ…凹部、３０…封口体、４０…電極。
【図１】
2005019325.tif 000003
【図２】
2005019325.tif 000004
【図３】
2005019325.tif 000005
【図４】
2005019325.tif 000006